(57)【要約】【課題】戸パネルに対する組み付け作業を簡単に行え、しかもランナー台の取り外し作業も簡単に行える、全体として施工現場における戸パネルの吊り込みや分離を簡便に行えるランナーを提供する。【解決手段】戸パネル３の隅部に保持ケース１１を埋設固定する。この保持ケース１１に対して、ランナー台１２を横外側方から着脱可能に装着する。ランナー台１２に設けたロックピース２３にロックピン２４を設ける。ロックピン２４が保持ケース１１のロック溝２２と係合して、保持ケース１１に装着したランナー台１２を分離不能に固定保持する。ロック溝２２の入口に、ロックピン２４が接当する傾斜カム面２９を形成する。解除レバー２６をロック解除操作する状態においては、ロックピン２４が傾斜カム面２９から反力を受け、その水平方向の分力によって保持ケース１１から抜け出る向きに押し出される。この押し出し力により、ランナー台１２を保持ケース１１から強制的に分離できるようにする。【選択図】　　　　図１
2004076431.tif 000002
【特許請求の範囲】
【請求項１】
ガイドレール１で移行案内されるランナー本体１０と、戸パネル３の上隅に装着固定される保持ケース１１と、保持ケース１１に横外側方から差し込み装填されるランナー台１２とを含み、
ランナー台１２と保持ケース１１との間に、保持ケース１１に装填したランナー台１２を分離不能に係合保持するロック機構が設けられており、
ロック機構は、保持ケース１１の前後壁に形成したロック溝２２と、ランナー台１２で往復変位自在に支持されて、ロック溝２２と係合できるロック体２４と、ロック体２４を係合付勢するばね２５と、ばね２５の付勢力に抗してロック体２４をロック解除操作する解除レバー２６とを含み、
ロック解除操作時に解除レバー２６ないしロック体２４と接当して、ランナー台１２が保持ケース１１からき抜け出る向きの力を発生させる傾斜カム面２９が保持ケース１１に形成されており、
解除レバー２６のロック解除動作に連動して、ランナー台１２を保持ケース１１から強制的に分離操作できることを特徴とするランナー。
【請求項２】
ロック機構が、ランナー台１２で上下スライド自在に支持されるロックピース２３と、ロックピース２３を移動付勢するばね２５と、ロックピース２３に固定されてロック溝２２に係合するロック体２４と、ロックピース２３をばね２５に抗して移動操作する解除レバー２６とで構成されており、
ロック溝２２の入口側に、ロック体２４と接当する傾斜カム面２９が形成されており、
解除レバー２６のロック解除動作に連動してロック体２４が傾斜カム面２９から受ける反力の分力で、ランナー台１２を保持ケース１１から強制的に押し出し操作できる請求項１記載のランナー。
【請求項３】
ロック機構が、ランナー台１２で上下スライド自在に支持されるロックピース２３と、ロックピース２３を移動付勢するばね２５と、ロックピース２３をばね２５に抗して移動操作する解除レバー２６とで構成されており、
解除レバー２６は、解除アーム３１と、解除アーム３１に対して逆向きに揺動する梃子片２７と、ロックピース２３をばね２５に抗して移動操作する係合アーム３２と、係合アーム３２に設けられたロック体２４を備えており、
保持ケース１１の前後壁に、解除レバー２６の梃子片２７と接当する傾斜カム面２９が形成されており、
ロック解除時の梃子片２７の梃子作用で、ランナー台１２が保持ケース１１から強制的に抜き出し操作される請求項１記載のランナー。
【請求項４】
ランナー台１２の下部周面に、上下に段部２１ａ・２１ｂを有する台連結部２１が膨出形成されており、
保持ケース１１の内面に、両段部２１ａ・２１ｂの上下遊動を規制する連結凹部４７が形成されている請求項１から３のいずれかに記載のランナー。
【発明の詳細な説明】
【０００１】
【発明の属する技術分野】
本発明は、折戸や引戸に適用されるランナー、なかでも戸パネルに対するランナーの着脱を簡便化できるランナーに関する。
【０００２】
【従来の技術】
この種のランナーは、例えば実用新案登録第２６０７３６６号公報に公知である。そこでのランナーは、図１５に示すように、ガイドレール６０で移行案内されるランナー本体６１と、戸パネル６２の上隅に埋設固定される保持ケース６３と、保持ケース６３に横外側方から差し込み装填されるランナー台６４と、ランナー本体６１とランナー台６４とを上下に連結するランナー軸６５などで構成されている。
【０００３】
保持ケース６３は、ロックアーム６６を係合捕捉するためのロック溝６７を有し、その入口に係合案内面６８が形成されている。ロックアーム６６は、先端にロック爪６９を有する前後一対のアーム７０と、両アーム７０をロック解除操作するレバー７１とを一体に形成したＬ字状のプラスチック成形品からなり、レバー７１の下端を軸支するピン７２まわりに揺動操作できる。ロックアーム７０の係合状態を保持するために、ランナー台６４の内部にばね７３とスライドピース７４とを組み込み、これら両者７３・７４でロックアーム６６を係合姿勢に揺動付勢している。
【０００４】
上記のランナーによれば、ランナー台６４を保持ケース６３に差し込み装着すると、ロックアーム６６のロック爪６９が係合案内面６８を乗り越えてロック溝６７に落ち込み係合するので、ランナーの戸パネル６２に対する装着がワンタッチで行える。ロックアーム６６のレバー７１をばね７３の付勢力に抗して矢印方向へ揺動操作することにより、ロック爪６９とロック溝６７との係合状態を解除して、ランナー台６４を保持ケース６３から抜き外すことができる。
【０００５】
【発明が解決しようとする課題】
ランナー台６４を戸パネル６２から分離する際には、戸パネル６２を支えてランナー台６４に作用する重量を軽減し、ロックアーム６６をロック解除状態に保持したうえで、ランナー台６４を保持ケース６３から平行に抜き出し操作しなければならない。つまり、戸パネル６２を支持する動作と、ロックアーム６６をロック解除する動作と、ランナー台６４を保持ケース６３から抜き出し操作する動作とを同時に行う必要があり、そのため、ランナーの分離に手間が掛かる。とくに、一人の作業者のみで作業を行う場合には、戸パネル６２がグラついて、ランナー台６４が保持ケース６３に引っ掛かりやすい。
【０００６】
また、ロック爪６９がロック溝６７を乗り越えるまでの間は、ロックアーム６６をロック解除状態に保持し続ける必要があるため、ランナー台６４の抜き出し操作に集中するあまり、ロックアーム６６がばね７３で押し戻され、ロック爪６９がロック溝６７に引っ掛かっていることも多く、いずれにしても、ランナー台６４の取り外し作業が面倒であった。ロックアーム６６の上端に指先を掛けて、レバー７１を傾動操作する際に、戸パネル６２の吊り高さによっては指先が入り難く、レバー７１の操作が困難な点でも改良の余地があった。
【０００７】
保持ケース６３にランナー台６４を装着した状態において、ランナー台６４と保持ケース６３とは、ランナー台６４の下部周面に設けた段部７５によって、上下方向の位置決めを図っているが、戸パネル６２の取付穴７６の底面とランナー台６４の底との間に僅かでも隙間があると、この隙間分だけランナー台６４が上下に相対遊動できる。そのため、戸パネル６２に対して上向きの外力が作用し、あるいはランナー台６４に対して下向きの外力が作用するような場合に、両者６２・６４が上下に相対遊動してがた付くのを避けられず、例えば戸パネル６２を開閉する毎に騒音を生じ、がた付き動作に伴ってランナー台６４の周面が摩耗するおそれがある。
【０００８】
本発明の目的は、従来ランナーの特長、即ち戸パネルに対する組み付けが簡単に行える点を踏襲しながら、ランナー台の取り外し作業を簡単に行うことができ、従って施工現場における戸パネルの吊り込みや分離が少ない手間で行えるランナーを提供することにある。本発明の目的は、ランナーを戸パネルに装着した状態において、ランナー台が前後・左右方向へはもちろんのこと、上下方向にがた付くのも防止でき、これによってランナー台のがた付きに伴う開閉騒音を解消できるランナーを提供することにある。
【０００９】
【課題を解決するための手段】
本発明のランナーは、ガイドレール１で移行案内されるランナー本体１０と、戸パネル３の上隅に装着固定される保持ケース１１と、保持ケース１１に横外側方から差し込み装填されるランナー台１２とを含む。ランナー台１２と保持ケース１１との間に、保持ケース１１に装填したランナー台１２を分離不能に係合保持するロック機構を設ける。ロック機構は、保持ケース１１の前後壁に形成したロック溝２２と、ランナー台１２で往復変位自在に支持されて、ロック溝２２と係合できるロック体２４と、ロック体２４を係合付勢するばね２５と、ばね２５の付勢力に抗してロック体２４をロック解除操作する解除レバー２６とを含む。ロック解除操作時に解除レバー２６ないしロック体２４と接当して、ランナー台１２が保持ケース１１から抜け出る向きの力を発生させる傾斜カム面２９を保持ケース１１に形成する。以て、解除レバー２６のロック解除動作に連動して、ランナー台１２を保持ケース１１から強制的に分離操作できるようにする。
【００１０】
ロック機構は、ランナー台１２で上下スライド自在に支持されるロックピース２３と、ロックピース２３を移動付勢するばね２５と、ロックピース２３に固定されてロック溝２２に係合するロック体２４と、ロックピース２３をばね２５に抗して移動操作する解除レバー２６とで構成する。ロック溝２２の入口側に、ロック体２４と接当する傾斜カム面２９を形成する。以て、解除レバー２６のロック解除動作に連動してロック体２４が傾斜カム面２９から受ける反力の分力で、ランナー台１２を保持ケース１１から強制的に押し出し操作できるようにする。
【００１１】
別のロック機構は、ランナー台１２で上下スライド自在に支持されるロックピース２３と、ロックピース２３を移動付勢するばね２５と、ロックピース２３をばね２５に抗して移動操作する解除レバー２６とで構成する。解除レバー２６は、解除アーム３１と、解除アーム３１に対して逆向きに揺動する梃子片２７と、ロックピース２３をばね２５に抗して移動操作する係合アーム３２と、係合アーム３２に設けられたロック体２４を備えている。保持ケース１１の前後壁に、解除レバー２６の梃子片２７と接当する傾斜カム面２９を形成する。以て、ロック解除時の梃子片２７の梃子作用で、ランナー台１２を保持ケース１１から強制的に抜き出し操作する。
【００１２】
ランナー台１２の下部周面に、上下に段部２１ａ・２１ｂを有する台連結部２１を膨出形成する。保持ケース１１の内面に、両段部２１ａ・２１ｂの上下遊動を規制する連結凹部４７を形成する。
【００１３】
【発明の作用効果】
本発明では、戸パネル３に固定した保持ケース１１に対してランナー台１２を着脱できるようにし、両者の間に設けたロック機構でランナー台１２の装着状態を維持できるようにした。そのうえで、保持ケース１１に傾斜カム面２９を設けて、ロック解除操作時に解除レバー２６、あるいはロック体２４が傾斜カム面２９と接当することにより、ランナー台１２が保持ケース１１から抜け出る向きの力を受けるようにした。つまり、解除レバー２６のロック解除操作を利用して、ランナー台１２を保持ケース１１から強制的に分離操作できるようにした。このように、ランナー台１２が保持ケース１１からある程度分離移動した状態では、ロック体２４がロック溝２２に再係合することはない。
【００１４】
従って本発明のランナーによれば、解除レバー２６を操作してランナー台１２が保持ケース１１から分離移動した後は、解除レバー２６を操作する必要が全くなく、単にランナー台１２を抜き出す作業に専念することができるので、ランナー台１２の分離作業を簡便に行える。これにより、従来ランナーと同様に、戸パネルに対する組み付けを簡単に行いながら、ランナー台１２の取り外し作業を簡便化でき、全体として施工現場における戸パネル３の吊り込みや分離を少ない手間で行えることとなった。
【００１５】
ロック溝２２に係合するロック体２４をロックピース２３に固定し、解除レバー２６でロック体２４をロック解除するとき、ロック体２４が傾斜カム面２９と接当するように構成したロック機構においては、ロック体２４が傾斜カム面２９から受ける反力を利用して、その水平方向の分力によってランナー台１２を保持ケース１１から強制的に押し出すので、解除レバー２６をロック解除操作するだけの簡単な操作で、ランナー台１２を保持ケース１１から円滑に分離操作できる。
【００１６】
解除レバー２６の一端に梃子片２７を設けておき、解除レバー２６をロック解除操作するとき、梃子片２７が傾斜カム面２９に接当して梃子作用を発揮するように構成したロック機構においては、解除レバー２６の梃子作用でランナー台１２を保持ケース１１から強制的に抜き出し操作できるので、解除レバー２６をロック解除操作するだけの簡単な操作で、ランナー台１２を保持ケース１１から円滑にしかも軽快に分離操作できる。
【００１７】
ランナー台１２の下部周面に台連結部２１を膨出形成し、その上下に設けた段部２１ａ・２１ｂを、保持ケース１１の内面に設けた連結凹部４７で受け止めて、両段部２１ａ・２１ｂの上下遊動を規制できるようにしたランナーによれば、ランナー台１２を保持ケース１１に装着した状態において、ランナー台１２が上下方向にがた付くのを確実に阻止できるので、使用状態においてランナー台１２が前後・左右方向へ遊動するのはもちろんのこと、上下方向へがた付くのも確実に防止して、がた付きに伴う開閉騒音を一掃できる。
【００１８】
【実施例】
（実施例１）　図１ないし図１０は本発明に係るランナーをフリー折戸に適用した実施例を示す。図２においてフリー折戸は、２組のパネル対で構成してあり、開口枠の上下に設けたガイドレール１・２で屈折自在に開閉案内される。各パネル対は、２個の戸パネル３・３の隣接縁どうしをヒンジ４で連結してあり、一方の戸パネル３の屈折縁の近傍に把手５を有する。各パネル対の両側の上面および下面には、それぞれガイドレール１・２で移行案内されるランナー６と振れ止めローラー７とが装着されている。
【００１９】
図３において上側のランナー６は、上側のガイドレール１で左右方向へ走行案内されるランナー本体１０と、戸パネル３の上隅に埋設固定される保持ケース１１と、保持ケース１１に横外側方から差し込み装填されるランナー台１２と、ランナー本体１０とランナー台１２とを上下に連結するランナー軸１３と有する。上側のガイドレール１は、図９に示すように断面Ｃ字状のアルミニウム条材からなり、下面前後のレール壁１ａ・１ａの間が下向きに開口している。
【００２０】
図３においてランナー本体１０は、プラスチック成形品からなる左右横長の走行ブロック１４と、走行ブロック１４の前後に左右一対ずつ配置した４個のローラー１５と、これらのローラー１５を遊転自在に支持するローラー軸１６とを含む。走行ブロック１４の右側方の下面には、後述するランナーストッパーで係合捕捉される係合軸１７が下向きに突設してある。ランナー軸１３は、その上端が走行ブロック１４の左右中央部を上下に貫通する状態で組み付けられており、この組み付け状態において走行ブロック１４とランナー軸１３とは自由に相対回転できる。
【００２１】
図４ないし図６においてランナー台１２は、横断面が鍵穴状に形成される上半側の取付台１９と、下半側の連結部２０とを一体に成形したプラスチックブロックからなり、その内外にロック機構の構成部品や高さ調整機構を組み込み、さらに取付台１９の右側にランナー軸１３を組み付けてなる。連結部２０の下部周面には、保持ケース１１に差し込み係合される台連結部２１が膨出形成されており、台連結部２１の上下に段部２１ａ・２１ｂが張り出してある。
【００２２】
保持ケース１１に装填したランナー台１２を、分離不能に係合保持するために両者間にロック機構を設けている。ロック機構は、保持ケース１１の前後壁に形成されて、後述するロックピン２４を係合捕捉するロック溝２２と、取付台１９に設けた縦溝で上下スライド自在に支持される、縦断面がコ字状のロックピース２３と、ロックピース２３を前後に貫通する金属製のロックピン（ロック体）２４と、ロックピース２３を押し上げ付勢して、ロックピン２４を間接的に係合付勢する圧縮コイル形のばね２５と、ばね２５の付勢力に抗してロックピース２３を押し下げ操作する解除レバー２６などで構成する。
【００２３】
ロック溝２２は下面側が開口する切欠溝からなり、その入口に連続して登り傾斜するガイド面２８と、下り傾斜する傾斜カム面２９とが形成してある。前者のガイド面２８は、ランナー台１２を保持ケースに装填する際に、ロックピン２４を介してロックピース２３を押し下げ操作して、ロックピン２４をロック溝２２内へ落とし込み案内する。後者の傾斜カム面２９は、解除レバー２６でロックピン２４をロック解除操作するとき、ロックピン２４と接当して、ランナー台１２を保持ケース１１から押し出す向きの分力をロックピン２４に作用させる。
【００２４】
解除レバー２６は、縦長の解除アーム３１と、解除アーム３１の内側面に突設される前後一対の係合アーム３２を備えている。取付台１９に固定した水平のピン３３で解除アーム３１の上部を軸支することにより、解除レバー２６の全体は、ピン３３を中心にして左右揺動可能に支持される。係合アーム３２の突端には操作溝３４が切り欠き形成してあり、この操作溝３４をロックピン２４と係合することにより、ロックピース２３と解除レバー２６とが連動可能に連結される。従って、図１に示すように、解除アーム３１の下端に指先を掛けて、解除レバー２６を引き寄せ操作すると、ロックピース２３がばね２５の付勢力抗して押し下げ操作され、それまでロック溝２２と係合していたロックピン２４をロック解除できる。
【００２５】
図５に示すように、連結部２０の内部空間を利用して、そこに高さ調整機構を組み込んでいる。高さ調整機構は、ランナー軸１３の下部に形成したねじ軸３６と、ねじ軸３６を介してランナー軸１３を上下操作する一対のかさ歯車３７・３８とからなる。ランナー軸１３側のかさ歯車３７には、ねじ軸３６と噛み合うねじ穴３９が形成してある。他方のかさ歯車３８は操作軸４０を一体に備えており、操作軸４０の中途部の周回溝に規制板４１を係合することにより、回転自在な状態で左右移動が規制してある。操作軸４０の側端には十文字状の工具溝４２が形成してある。工具溝４２を介して後者かさ歯車３８を回転操作すると、ランナー軸１３側のかさ歯車３７が回転してねじ軸３６を上下移動できるので、戸パネル３の吊り高さを変更できる。このときのランナー軸１３の連れ周りを防ぐために、ランナー軸１３の中途部は非円形断面状に形成してあって、ランナー台１２で回り止め保持してある（図６参照）。
【００２６】
図４に示すように、戸パネル３の側端上部に取付穴４４を形成し、この取付穴４４に保持ケース１１を嵌め込んでビス４５で固定している（図７参照）。図４において保持ケース１１は、横断面がＵ字状のダイキャスト成形品からなり、上下端および左側が開口している。保持ケース１１の内面下部には、横側方からランナー台１２の連結部２０を受け入れる連結凹部４７が形成されている。
【００２７】
保持ケース１１にランナー台１２を嵌め込んだ図７の状態では、ロックピン２４がガイド面２８を乗り越えてロック溝２２の奥端に落ち込み係合するので、ランナー台１２を保持ケース１１に対してビス止めするまでもなく固定して戸パネル３と一体化できる。また、上下の段部２１ａ・２１ｂが連結凹部４７の上下壁面にそれぞれ密着状に接するので、ランナー台１２が保持ケース１１に対してがた付くことはない。
【００２８】
ランナー台１２を戸パネル３から分離するときは、図１に示すように解除レバー２６の下端を外側方へ斜め上向きに傾動操作して、ロックピン２４とロック溝２２との係合状態を解除し、ついでロックピン２４を傾斜カム面２９に接当させる。傾斜カム面２９に当ったロックピン２４は、傾斜カム面２９から反力を受け、その水平方向の分力によって保持ケース１１から抜け出る向きに押し出される。その結果、ランナー台１２が保持ケース１１から強制的に分離操作される。この抜き出し途中状態において、解除レバー２６から手を離したとしても、ロックピン２４は既にロック溝２２から抜け出ており、ガイド面２８で受け止められるだけであるので、以後は連結部２０をつかんでランナー台１２を抜き出し操作すればよい。従って、ランナー台１２を保持ケース１１から簡単に分離できる。
【００２９】
フリー折戸においては、各パネル対を支持する両側端のランナー６のいずれか一方をランナーストッパーで移動不能に捕捉固定することによって、パネル対の開閉方向を左開きと右開きとに変更することができる。図７ないし図１０において、そのランナーストッパーは、ガイドレール１のレール壁１ａを間にして、内外に配置される上側の雌ねじ体４９と、下側の捕捉具５０と、両者４９・５０を締結する固定ねじ５１とで構成してあり、固定ねじ５１を緩めることによりガイドレール１から取り外すことができ、任意の位置においてレール壁１ａに締結固定できる。
【００３０】
図８において捕捉具５０は、四角形状のベース５２の一側に、走行ブロック１４に設けた係合軸１７と係合する前後一対の弾性腕５３を横外側方に向けて突設し、ベース５２の上面両側に回止め片５４を突設してなる。ベース５２の板面中央には固定ねじ５１用の挿通孔５５を有する。図１０に示すように雌ねじ体４９と捕捉具５０とをレール壁１ａに締結した状態において、ベース壁５２の前後周面はレール壁１ａの下面に設けたリブ５６で受け止められて回り止めされている。
【００３１】
雌ねじ体４９は四角形状のプレス金具からなり、板面の中央に固定ねじ５１用のねじ孔５７を有し、板面の左右側縁のそれぞれに溝５８を切り欠き形成してある。雌ねじ体４９および捕捉具５０をレール壁１ａに締結した状態において、雌ねじ体４９の溝５８は捕捉具５０の回止め片５４で回転不能に保持されるので、雌ねじ体４９の前後幅はレール壁１ａの前後対向間隔より大きく設定するものの、いたずらに大きくする必要はない。
【００３２】
上記のように、雌ねじ体４９の前後幅を小さく寸法設定してあると、ランナーストッパーの全体を斜めに傾けたながらガイドレール１に組み付けて、雌ねじ体４９をレール壁１ａの内面に掛け止め装着できる。詳しくは図９に示すように、斜めに傾けた雌ねじ体４９の前後いずれか一側をレール壁１ａの内面に差し込んだのち雌ねじ体４９を水平姿勢に戻しながら、その他側がレール壁１ａをくぐり抜けるようにし、雌ねじ体４９の前後縁を一対のレール壁１ａに掛け止め装着する。
【００３３】
この状態で固定ねじ５１をねじ込み、捕捉具５０がリブ５６の間に嵌り込むように、雌ねじ体４９と捕捉具５０とを締結する。このように、全体を斜めに傾けた状態でガイドレール１に掛け止め装着できるようにすると、従来のこの種ランナーストッパーに比べて、より少ない手間でランナーストッパーを取り付けることができる。
【００３４】
なお、弾性腕５３の保持力に抗して戸パネル３を捕捉具５０から離れる向きに移動操作すると、係合軸１７が弾性腕５３から抜け出て、ランナー６をランナーストッパーから分離できる。逆に戸パネル３をランナーストッパーに接近操作すると、係合軸１７が弾性腕５３内へ入り込んで、ランナー６をランナーストッパーで捕捉固定できる。
【００３５】
上記のランナーストッパーの構造を要約すると、レール壁１ａを間にして内外に配置される雌ねじ体４９と、捕捉具５０と、これら両者４９・５０を締結する固定ねじ５１とを備えており、捕捉具５０は四角形状のベース５２の一側に、走行ブロック１４に設けた係合軸１７と係合する前後一対の弾性腕５３を備えており、ベース５２の上面に雌ねじ体４９と係合して雌ねじ体４９を回り止め保持する回止め片５４が突設されており、雌ねじ体４９には固定ねじ５１用のねじ孔５７と、回止め片５４に係合する溝５８とが形成されており、雌ねじ体４９の前後幅は、レール壁１ａの対向間隔より僅かに大きく寸法設定されており、雌ねじ体４９、捕捉具５０および固定ねじ５１を仮組みした状態において、雌ねじ体４９をレール壁１ａに対して開口面側から掛け止め装着できるものとなっている。
【００３６】
（実施例２）　上記の実施例では、傾斜カム面２９の反力を利用して、ランナー台１２を保持ケース１１から強制的に押し出し操作したが、その必要はなく、解除レバー２６の梃子作用を利用して、ランナー台１２を保持ケース１１から強制的に抜き出し操作することができ、その詳細を図１１ないし図１４に基づいて説明する。
【００３７】
実施例２におけるロック機構は、ランナー台１２で上下スライド自在に支持されるロックピース２３と、ロックピース２３を押し上げ付勢するばね２５と、解除レバー２６を含んで構成する。図１４に示すごとく先のロックピース２３とばね２５とは、ランナー台１２の左右中央部に設けた縦溝内に組み込んであり、図１１に示すように、ロックピース２３を解除レバー２６でばね２５に逆らいながら押し下げ操作することにより、ロックピース２３をロック解除操作できる。
【００３８】
解除レバー２６は、指先でロック解除操作される解除アーム３１と、解除アーム３１に対して逆向きに揺動する梃子片２７と、ロックピース２３をばね２５に抗して押し下げ操作する前後一対の係合アーム３２と、係合アーム３２の突端に設けられたロック片（ロック体）２４とを一体に形成したト字状のプラスチック成形品からなる。解除レバー２６の全体はピン３３の回りに揺動可能に支持されて、その上下端が左右方向へ逆向きに揺動できる。
【００３９】
解除レバー２６をランナー台１２に組み付けた状態において、ロック片２４と係合アーム３２はロックピース２３の上端面に当たっており、ばね２５の付勢力を受けて係合姿勢へ向かって揺動付勢されている。梃子片２７の上端は半円状に丸めてある。
【００４０】
図１２において保持ケース１１の前後壁には、解除レバー２６のロック片２４を係合捕捉するロック溝２２がそれぞれ逆Ｌ字状に形成されている。ロック溝２２の入口には、ガイド面２８が形成され、このガイド面２８の上端に隣接して、解除レバー２６の梃子片２７と接当する傾斜カム面２９が形成されている。他は実施例１と同じであるので、同じ部材に同じ符号を付してその説明を省略する。
【００４１】
ランナー台１２を戸パネル３から分離するときは、図１１に示すように解除アーム３１の下端を外側方へ斜め上向きに傾動操作して、ロック片２４とロック溝２２との係合状態を解除する。このとき解除レバー２６の梃子片２７が傾斜カム面２９に当たる。この状態のままで解除レバー２６をさらに傾動操作すると、解除レバー２６が梃子片２７を支点にして梃子機能を発揮し、ランナー台１２を保持ケース１１から強制的に抜き出し操作して分離できる。
【００４２】
解除レバー２６の上部に梃子片２７を、解除レバー２６の下部に解除アーム３１をそれぞれ設け、この部材配置に対応して保持ケース１１側にロック溝２２や傾斜カム面２９を設けておけば、解除レバー２６の下端側に指先を掛けて解除レバー２６をロック解除操作できるので、戸パネル３の吊り高さが高く、戸パネル３とガイドレール１との間の隙間が極端に小さくなっている場合でも、解除レバー２６を支障なくロック解除操作できる。
【００４３】
上記の実施例以外に、解除レバー２６の解除レバー２６は、下向きになるように配置するのが好ましいが、必要に応じて上下逆向きに配置してもよい。その場合には、ロック溝２２および傾斜カム面２９を上下反転状に設ける。ロック片２４と係合するロック溝２２を斜めに傾斜させておき、ロック体２４がロック溝２２に係合するとき、ランナー台１２を保持ケース１１に引き寄せ操作することができる。ロックピース２３は省略することができる。本発明のランナーストッパーは、引戸にも適用できる。
【図面の簡単な説明】
【図１】ランナー台の分離途中状態を示す一部破断正面図
【図２】折戸の斜視図
【図３】ランナーの分解正面図
【図４】ランナー台および保持ケースの分解斜視図
【図５】ランナー台の中央縦断正面図
【図６】図５におけるＡ−Ａ線断面図
【図７】ランナーおよびランナーストッパーの一部破断正面図
【図８】ランナーストッパーの分解斜視図
【図９】ランナーストッパーの組み付け要領を示す側面図
【図１０】図７におけるＢ−Ｂ線断面図
【図１１】実施例２に係るランナーの一部破断正面図
【図１２】実施例２に係るランナーの分解正面図
【図１３】実施例２に係るランナー台および保持ケースの分解斜視図
【図１４】実施例２に係るランナー台の中央縦断正面図
【図１５】従来のランナーの正面図
【符号の説明】
３　戸パネル
６　ランナー
１０　ランナー本体
１１　保持ケース
１２　ランナー台
１３　ランナー軸
２２　ロック溝
２３　ロックピース
２４　ロック体
２５　ばね
２６　解除レバー
２７　梃子片
２９　傾斜カム面
３１　解除アーム
３２　係合アーム
【図１】
2004076431.tif 000003
【図２】
2004076431.tif 000004
【図３】
2004076431.tif 000005
【図４】
2004076431.tif 000006
【図５】
2004076431.tif 000007
【図６】
2004076431.tif 000008
【図７】
2004076431.tif 000009
【図８】
2004076431.tif 000010
【図９】
2004076431.tif 000011
【図１０】
2004076431.tif 000012
【図１１】
2004076431.tif 000013
【図１２】
2004076431.tif 000014
【図１３】
2004076431.tif 000015
【図１４】
2004076431.tif 000016
【図１５】
2004076431.tif 000017